(57)【要約】【課題】ガラス破りを想定して、防犯性が高いクレセント装置を提供すること。【解決手段】クレセント装置１は、ハンドル付きクレセントとしての中央ハンドル２と、ハンドル無しクレセントとしての上クレセント３及び下クレセント４と、前記中央ハンドル２と前記上下クレセント３、４間にそれぞれ連結されている共に、前記中央ハンドル２の鎌２１の回転動作と前記上下クレセント３、４の各鎌３１、４１の動作を連動させる上下の連動部５、６と、これらの上下連動部５、６の動作を規制する規制手段として、前記上下クレセント３，４にそれぞれ開閉スイッチ７、８を設けている。この実施形態によるクレセント装置１では、前記上下クレセント３、４の開閉スイッチ７、８がオンされている場合には、前記上下の連動部５、６がロックされるので、前記中央ハンドル２のハンドル操作が妨げられる。【選択図】  図１
2005023566.tif 000002
【特許請求の範囲】
【請求項１】
本体カバーと、この本体カバーの表面に沿って回転する鎌と、この鎌に固定された回転軸と、この回転軸に形成され、かつ、前記本体カバーの裏面から突出する歯車部と、前記回転軸の回転を規制する規制手段を備えたことを特徴とするハンドル無しクレセント。
【請求項２】
請求項１に記載の前記ハンドル無しクレセントと、ハンドル付きクレセントと、前記各クレセントの各鎌の回転動作を連動させる連動部と、前記連動部の動作を規制する規制手段からなることを特徴とするクレセント装置。
【請求項３】
請求項１に記載の前記ハンドル無しクレセントと、ハンドルと、前記ハンドルの回転動作と前記クレセントの鎌の回転動作を連動させる連動部と、前記連動部の動作を規制する規制手段からなることを特徴とするクレセント装置。
【発明の詳細な説明】
【０００１】
【産業上の利用分野】
この発明は、開口部のガラス障子等を施錠するクレセント及びクレセント装置に関する。
【０００２】
【従来の技術】
現在、空き巣、居直り強盗等、社会不安を引き起こす犯罪の発生件数が高水準で推移している。
空き巣の家屋侵入の手口の典型例は、「ガラス破り」とよばれるもので、窓ガラスを割って、クレセント等を開錠して侵入する事例である。段上への足場があれば、２階等のベランダからも室内に侵入してくるケースもある。
家屋の侵入に対する防犯対策として、警備システム等のソフト面の強化策とハード面の強化策があり、そのハード面の強化策として、ガラスを複数面にしたり、ガラス間に合成樹脂等を挟込む構成などが新聞紙上等で発表されている。
また、ハード面の強化策として、施錠装置の開発が必要になっており、種々の施錠装置が開発されている（例えば、特許文献１。）。
【０００３】
【特許文献１】特開２００２−３０９８３２号公報（図１）
【０００４】
【発明が解決しようとする課題】
しかし、従来の施錠装置には、今日のようなガラス破りを想定したような施錠装置が開発されていないのが実情である。
【０００５】
そこで、本発明は、上記課題を解決するためになされたもので、防犯性が高いクレセント装置を提供することを目的とする。
【０００６】
【課題を解決するための手段】
上記した課題を解決するために、本体カバーと、この本体カバーの表面に沿って回転する鎌と、この鎌に固定された回転軸と、この回転軸に形成され、かつ、前記本体カバーの裏面から突出して形成されている歯車部と、前記回転軸の回転を規制する規制手段を備えたことを特徴とするハンドル無しクレセントとした（請求項１の発明）。
このクレセントは、クレセント受けに係合される鎌を回転させるハンドルが付いておらず、前記鎌の回転は、前記回転軸に形成された歯車部に伝達される力による。
よって、ガラス破りを行った不審者がその手で前記鎌自体を回すことは困難であって、防犯性が高いクレセントとなっている。
【０００７】
また、上記ハンドル無しクレセントと、ハンドル付きクレセントと、前記各クレセントの各鎌の回転動作を連動させる連動部と、前記連動部の動作を規制する規制手段からなることを特徴とするクレセント装置とした（請求項２の発明）。
この発明によれば、前記規制手段により、各クレセントの各鎌の回転動作を連動させる連動部が規制されるので、前記ハンドル付きクレセントのハンドルを回すことができず、従って、ハンドル無しクレセントの鎌も回転せず、防犯性が高いクレセント装置となっている。
【０００８】
また、上記ハンドル無しクレセントと、ハンドルと、前記ハンドルの回転動作と前記クレセントの鎌の回転動作を連動させる連動部と、前記連動部の動作を規制する規制手段からなることを特徴とするクレセント装置（請求項３の発明）。
この発明によれば、前記規制手段により、前記ハンドル無しクレセントの鎌の回転動作を連動させる連動部が規制されるので、前記ハンドルを回すことができず、従って、ハンドル無しクレセントの鎌も回転せず、防犯性が高いクレセント装置となっている。
【０００９】
【発明の実施の形態】
以下、図示の実施形態を参照しながら本発明を詳細に説明する。
図１は実施形態に係るクレセント装置を取付けた開口部の室内側正面図、図２（Ａ）、（Ｂ）は同クレセント装置を構成する中央ハンドルの側断面図、同ハンドルの裏板の一部を切欠いた背面図、図３は同クレセント装置を構成する上クレセントの斜視図、４（Ａ）〜（Ｃ）は同クレセントの平面図、側面図、背面図である。
これらの各図及び後述の各図において、同一の構成は同一の符号を付して、詳細な説明は省略する。
【００１０】
前記クレセント装置１は、図１に示しように、ハンドル付きクレセントとしての中央ハンドル２と、ハンドル無しクレセントとしての上クレセント３及び下クレセント４と、前記中央ハンドル２と前記上下クレセント３、４間にそれぞれ連結されている共に、前記中央ハンドル２の鎌２１の回転動作と前記上下クレセント３、４の各鎌３１、４１の動作を連動させる上下の連動部５、６と、これらの上下連動部５、６の動作を規制する規制手段として、前記上下クレセント３，４にそれぞれ開閉スイッチ７、８を設けている。
この実施形態によるクレセント装置１では、前記上下クレセント３、４の開閉スイッチ７、８がオンされている場合には、前記上下の連動部５、６がロックされるので、前記中央ハンドル２のハンドル操作が妨げられる。
よって、例えば「ガラス破り」等で、不審者が前記中央ハンドル２に手を伸ばしても、中央ハンドル２のハンドル２０を動かすことができず、防犯上の効果を奏することができる。
【００１１】
前記中央ハンドル２はグレモン錠と称されるもので、図２（Ａ）、（Ｂ）に示したように、ハンドル２０と鎌２１が固着され、前記ハンドル２０の回転力がカム軸２２を回転させ、このカム軸２２の回転力が駆動アーム２３の一端に伝達され、この駆動アーム２３の他端に固着されている上下アームピン２４、２５をそれぞれ上下方向にスライドさせると共に、前記駆動アーム２３の変位を規制することで前記ハンドル２０をロックする規制手段としてのストッパー２６を備えている。
なお、図２（Ａ）、（Ｂ）では、前記中央ハンドル２は前記クレセント装置１を閉状態にする場合を図示している。
【００１２】
前記上クレセント３は、図３及び図４に示したように、本体カバー３０と、この本体カバー３０の表面に沿って回転可能に取付けられた鎌３１と、一端が前記鎌３１に固着され、他端が前記本体カバー３０の内側に収容された回転軸３２と、この回転軸３２の先端部３３に形成され、かつ、本体カバー３０の裏面から突出した歯車部３４と、前記回転軸３２の回転を規制することで、前記鎌３１の回転をロックする開閉スイッチ７としてのストッパー３５を備えている。
【００１３】
前記上クレセント３では、前記鎌３１を回転させるハンドルは取付けられていないので、このクレセント３を開状態にするには、鎌３１自体を手等で回転させる必要があり、容易に開状態にすることができないようになっている。
前記歯車部３４は、前記上連動部５の上下方向のスライド力を回転力に変換するもので、その回転力が前記回転軸３２及び前記鎌３１に伝達される。そして前記歯車部３４は前記本体カバー３０の裏面３００から突出して形成されている。
【００１４】
前記ストッパー３５は、本体カバー３０の側面をスライドする摘み３５０と、この摘み３５０と一体的に成形され、かつ、前記本体カバー３０の内側面をスライドする略逆Ｌ字状のストッパー片３５１と、このストッパー３５のオンの際に、前記ストッパー片３５１に圧着される圧着平面を備え、かつ、前記回転軸３２に固着されている固着部３５２からなる。
前記ストッパー３５は、そのオンの際に前記上連動部５の上下方向のスライド力を規制することから、前記中央ハンドル２との連動を規制する規制手段となっている。
【００１５】
なお、下クレセント４は、上記上クレセント３の前記鎌３１の鎌先端と鎌基端とを逆付けした以外は、前記上クレセント３と略同一に構成されているので、詳細な説明は省略する。
【００１６】
前記上連動部５は、図５に示したように、上クレセント３の歯車部３４に歯合される上ラック連動部５０、前記中央ハンドル２の上アームピン２４のスライド力によりスライドする上スライド部５１と、この上スライド部５１及び前記上ラック連動部５０を連結する上連結部５２からなる。
一方、前記下連動部６は、図５に示したように、前記下クレセント４の歯車部４４に歯合される下ラック連動部６０と、前記中央ハンドル２の下アームピン２５のスライド力によりスライドする下スライド部６１と、この下スライド部６１及び前記下ラック連動部６０を連結する下連結部６２からなる。
前記下ラック連動部６０と上ラック連動部５０、前記下スライド部６１と上スライド部５１及び前記下連結部６２と上連結部５２は、それぞれ略同一に構成されているので、下ラック連動部６０、下スライド部６１及び下連結部６２を、上ラック連動部５０、上スライド部５１及び上連結部５２に代表させて説明する。
【００１７】
前記下ラック連動部６０は、その詳細を図示した図６（Ａ）、（Ｂ）のように、前記下連結部６２の端部に固着される固着部６００と、略Ｌ字状に切欠かれ、かつ、その切欠き面６０１に形成されたラック６０２と、開口部Ｏ（図１参照）の下枠Ｏ１への落込み連結棒（図示せず）を固着する固着部６０３を備えている。
【００１８】
前記下連結部６２は、断面形状が略Ｈ字状に形成されたもので、その下側内面に前記固着部６００を挿入して固定できるようになっている。
【００１９】
前記下スライド部６１は、図５に示したように、前記中央ハンドル２の下アームピン２５が嵌め込まれる孔等を備えた先端部６１０と、前記下連結部６２に固着される固着部６１１を備えている。
【００２０】
以上のように構成された前記中央ハンドル２、上下クレセント３，４及び上下連動部５、６の取付け構造を図７（Ａ）（Ｂ）に基いて説明する。なお、図７（Ａ）（Ｂ）は、前記クレセント装置１が開状態の側断面図及び平面図である。
前記中央ハンドル２は、前記開口部Ｏに配置された障子等のガラス内障子９Ａの縦框９０（図１参照）の略中央に固着され、その上下アームピン２４、２５が、縦框９０に形成された長孔（図示せず）を介して、縦框中空部９００に臨まされる。
前記上下アームピン２４、２５は前記縦框中空部９００にスライド自在に配置された上下スライド部５１、６１の各先端部５１０、６１０の孔（図示せず）に収容される。
【００２１】
前記上下クレセント３，４は、前記中央ハンドル２を挟んで、前記縦框９０の上下に固着され、それらの歯車部３４、４４が、縦框９０に形成された孔（図示せず）を介して、前記縦框中空部９００に臨まされ、その中空部９００をスライド自在の上下ラック連動部５０、６０のラック５０２、６０２に歯合されている。
そして、これら上下ラック連動部５０、６０及び上下スライド部５１、６１を連結する上下の連結部５２，６２も前記中空部９００をスライド自在に配置されている。
なお、図示は省略しているが、上記中央ハンドル２のクレセント受け、上下クレセント３，４の各クレセント受けは、中央ハンドル２の鎌２１、上下クレセント３，４の各鎌３１，４１に対応する位置の前記ガラス外障子９Ｂ（図１参照）縦框に固着されている。
【００２２】
次に以上のように構成されたクレセント装置１の作用効果を図７及び図８に基いて説明する。なお、図８（Ａ）（Ｂ）は、前記クレセント装置が閉状態の側断面図及び平面図である。
図７（Ａ）（Ｂ）に示した開状態では、前記中央ハンドル２の上下アームピン２４、２５は、最も近づいた位置にある。
この状態から前記中央ハンドル２のハンドル２０を図面の紙面の奥方向へと、時計方向に回転させると、前記上下アームピン２４、２５が徐除に離間するようにスライドし、そのスライド力が、前記上下のスライド部５１、６１、上下の連結部５２，６２、上下のラック連動部５０、６０に伝達される。
その結果、上下ラック連動部５０、６０の各ラック５０２、６０２が前記上下クレセント３，４の各歯車部３４、４４を回転させ、前記鎌３１、４１を図示しないクレセント受けに係合させる。
よって、前記中央ハンドル２のハンドル２０の閉動作により、同時に前記上下クレセント３，４が施錠される。
【００２３】
施錠後に前記上下クレセント３，４のストッパー３５、４５をオンすると、前記歯車部３４、４４の回転が規制される。
この状態で、前記中央ハンドル２の前記ストッパー２６をオフにして、ハンドル２０を図８の図面上、奥方向の反時計方向に回転しようとしても、前記上下クレセント３，４の歯車部３４、４４がストッパー３５、４５によりロックされているので、前記ハンドル２０の力は、前記上下スライド部５１、６１、上下連結部５２，６２、上下のラック連動部５０、６０に伝達されず、前記ハンドル２０の回転操作が不能になる。
【００２４】
なお、居住者が、前記内外ガラス障子９Ａ、９Ｂを開けるには、中央ハンドル２、上下クレセント３、４の各ストッパー２６、３５、４５をオフにし、前記中央ハンドル２のハンドル２０を操作すればよい。
【００２５】
よって、不審者がガラス破り等で、前記中央ハンドル２の近辺をガラス破り等で破っても、前記ハンドル２０の回転操作が不能であって、前記内外ガラス障子９Ａ、９Ｂを開けることができないので、防犯上、有効である。
また、前記上クレセント３のストッパー３５をオフにしても、下クレセント４のストッパー４５又は／及び中央ハンドル２のストッパー２６がオンであれば、上記と同様に、前記上クレセント３の鎌３１を回すことができない。
また、前記下クレセント４のストッパー４５をオフにしても、上クレセント３のストッパー３５又は／及び中央ハンドルのストッパー２６がオンであるときも同様である。
【００２６】
上記実施形態では、前記中央ハンドル２、前記上下クレセント３、４をガラス内障子の縦框に固定しているが、前記開口部Ｏの障子等の配置位置に対応させ、高所のガラス障子には、前記中央ハンドル２と、前記上クレセント３と、前記中央ハンドル２及び前記上クレセント３の動作を連動させる上連動部５と、上連動部５を規制するストッパー２６、３５でもよい。
また、低所のガラス障子には前記中央ハンドル２と、前記下クレセント４と、前記中央ハンドル２及び前記上クレセント３の動作を連動させる下連動部６と、下連動部６を規制するストッパー２６、４５でもよい。
それぞれガラス障子の設置環境に応じ、上記実施形態と略同様な作用効果を奏する。
また、前記上下ラック連動部５０、６０の固着部５０３、６０３に、開口部Ｏの上下枠Ｏ１、Ｏ２への落込み連結棒（図示せず）を固着させてもよい。
前記開口部Ｏに対する内外ガラス障子９Ａ、９Ｂの取付けをより強固なものにすることができる。
また、前記中央ハンドル２、前記上下クレセント３、４をガラス内障子９Ａの縦框に固定する位置は、前記開口部Ｏの設置環境におうじて、最下位に前記中央ハンドル２を固定したり、最上位に前記中央ハンドル２を固定してもよい。
また、前記中央ハンドル２のストッパー２６を省略したとしても、上記実施形態と略同一の佐用効果を奏する。
また、前記中央ハンドル２の鎌２１を省略し、ハンドルとしてもよく、この場合でも、上記実施形態と略同一の佐用効果を奏する。
なお、前記上下クレセント３、４の各回転軸にそれぞれハンドルを固定してもよい。そのハンドルの操作によっても、他のクレセント、中央ハンドルが連動するので、居住者の使い勝手が向上する。
【００２７】
【発明の効果】
本発明によれば、前記鎌を回転させるハンドルが付いておらず、前記鎌の回転は、前記回転軸に形成された歯車部に伝達される力によるので、ガラス破りを行った不審者がその手で前記鎌自体を回すことは困難であって、防犯性が高いクレセントとなっている。
また、前記規制手段により、クレセントの鎌の回転動作を連動させる連動部を規制できるので、前記ハンドルを回すことができず、従って、前記クレセントの鎌も回転することができないので、防犯性が高いクレセント装置となっている。
【図面の簡単な説明】
【図１】実施形態に係るクレセント装置を取付けた開口部の室内側正面図、
【図２】（Ａ）（Ｂ）  同クレセント装置の中央ハンドルの側断面図、一部を切欠いた背面図
【図３】同ハンドル無しクレセントの横断面図、
【図４】（Ａ）（Ｂ）（Ｃ）  同クレセント装置の正面図、側面図、裏面図、
【図５】同クレセント装置の側面図、
【図６】（Ａ）（Ｂ）  同クレセント装置を構成する下ラック連動部の側面図、平面図
【図７】（Ａ）（Ｂ）  同クレセント装置の動作説明図、
【図８】（Ａ）（Ｂ）  同クレセント装置の動作説明図である。
【符号の説明】
１  クレセント装置
２  中央ハンドル                      ２０  ハンドル
２１  鎌                              ２２  カム軸
２３  駆動アーム                      ２４  上アームピン
２５  下アームピン                    ２６  ストッパー
３  上クレセント
３０  本体カバー                      ３１  鎌
３２  回転軸                          ３３  先端部
３４  歯車部                          ３５  ストッパー
３００  裏面                          ３５０  摘み
３５１  ストッパー片                  ３５２  固着部
４  下クレセント
４０  本体カバー                      ４１  鎌
４２  回転軸                          ４３  先端部
４４  歯車部                          ４５  ストッパー
４００  裏面                          ４５０  摘み
４５１  ストッパー片                  ４５２  固着部
５  上連動部                          ５０  上ラック連動部
５１  上スライド部                    ５２  上連結部
５０  上ラック連動部                  ５０２  ラック
５１０  先端部
６  下連動部
６０  下ラック連動部                      ６１  下スライド部
６２  下連結部                            ６００  固着部
６０１  切欠き面                          ６０２  ラック
６０３  固着部                            ６１０  先端部
６１１  固着部
７  ８  開閉スイッチ
９Ａ  ガラス内障子                        ９Ｂ  ガラス外障子
９０  縦框
９００  縦框中空部
Ｏ  開口部
Ｏ１  下枠  Ｏ２  上枠
【図１】
2005023566.tif 000003
【図２】
2005023566.tif 000004
【図３】
2005023566.tif 000005
【図４】
2005023566.tif 000006
【図５】
2005023566.tif 000007
【図６】
2005023566.tif 000008
【図７】
2005023566.tif 000009
【図８】
2005023566.tif 000010